(57)【要約】【課題】従来の記録パワー初期値決定方法では、異なる線速度で記録する場合のクロス線速によるオーバーライト特性の劣化が生じ信号品質を劣化させていた。また、学習時の目標パワーが当初の記録パワーと大きく異なることにより、変調度パワー積の目標パワー近傍での接線の傾きにずれが生じ、これにより求まる記録パワーに誤差が生じていた。【解決手段】光学的記録媒体内にレーザーパワーを制御して複数の記録パワーで信号記録し、媒体からの再生信号の振幅から複数の記録パワーにおける変調度を検出し、前記変調度の検出値から直線近似係数ｎを演算し、媒体からの再生信号の信号品質を測定し、前記近似係数演算の演算値と、信号品質計測の出力値から、記録パワー係数を演算する。【選択図】図１
2006172667.tif 000002
【特許請求の範囲】
【請求項１】
第１から第ｎ（ｎは２以上の整数）の異なる線速度で記録する光学的情報記録媒体であって、第１の線速度で記録パワーを変えながらＰｗ１の記録パワーで下地トラックを記録し、前記記録パワーのことなる複数の下地トラックのそれぞれに記録パワーＰｗ１のα倍の記録パワーで上書きし、前記複数の上書きされたトラックの信号品質を計測し、前記信号品質の検出値がＸとなるトラックの下地記録パワーをＰｗｏ１とし、第ｎの線速度で記録パワーを変えながらＰｗｎの記録パワーで下地トラックを記録し、前記記録パワーのことなる複数の下地トラックのそれぞれに記録パワーＰｗｎのα倍の記録パワーで上書きし、前記複数の上書きされたトラックの信号品質を計測し、前記信号品質の検出値がＸとなるトラックの下地記録パワーをＰｗｏｎとし、前記第１と第ｎの線速度での記録パワーの比をβ＝Ｐｗｏｎ／Ｐｗｏ１とし、第１および第ｎの線速度での推奨記録パワーの比が前記βにもとずく比を満足する推奨記録パワーＰｗｏ１とＰｗｏｎの情報があらかじめ記録されていることを特徴とする光学的情報記録媒体。
【請求項２】
少なくとも最も遅い第１の線速度と、最も速い第ｎの線速度での推奨記録パワーがあらかじめ記録されていることを特徴とする請求項１に記載の光学的情報記録媒体。
【請求項３】
前記αは０．８〜０．９の範囲であることを特徴とする請求項１記載の光学的情報記録媒体。
【請求項４】
前記下地記録パワーの１〜１．０５倍を推奨記録パワーとする請求項１記載の光学的情報記録媒体。
【請求項５】
前記推奨パワー比が０.９０×β〜１．１×βの範囲であることを特徴とする請求項１に記載の光学的情報記録媒体。
【請求項６】
前記計測される信号品質は、ジッタ、ＭＬＳＡ、ビット誤り率のいずれかであることを特徴とする請求項１に記載の光学的情報記録媒体。
【請求項７】
前記検出値Ｘが、ジッタ１１％から１３％、あるいはＭＬＳＥ１１％〜１３％、あるいはビット誤り率が１×１０Ｅ−４〜１×１０Ｅ−３の範囲にあることを特徴とする請求項１に記載の光学的情報記録媒体。
【請求項８】
光学的情報記録媒体に複数のパワーでレーザー光を切り替えて照射し、情報を複数の長さのマークおよびスペースとして記録する光学的情報記録媒体に、最適な記録パワーで書き込みを実現するためのディスク初期値を決定する記録パワーの初期値決定方法において、前記光学的情報記録媒体に光ビームを照射し、前記光学的記録媒体内にレーザーパワーを制御して複数の記録パワーで信号記録し、前記光学的情報記録媒体からの再生信号の振幅から複数の記録パワーにおける変調度を検出し、前記変調度の検出値から、記録パワーのｎ乗を乗じて、直線近似係数ｎを演算し、前記光ディスクからの再生信号の信号品質を測定し、前記近似係数演算の演算値と、信号品質計測の出力値から、記録パワー係数を演算することにより、光学的情報記録媒体に記録する記録パワーの初期値を決定する記録パワー初期値決定方法。
【請求項９】
前記光学的情報記録媒体に、第１のパワーで記録トラックを作成し、前記記録トラックを第２のパワーで１回上書きしたときの信号品質をもとに、前記第１のパワーの定数倍を記録パワーの初期値として決定する請求項８記載の記録パワー初期値決定方法。
【請求項１０】
前記第１のパワーは前記第２のパワーに比べて大きいことを特徴とする請求項８記載の記録パワー初期値決定方法。
【請求項１１】
前記第２のパワーは前記第１のパワーの０．８倍〜０．９倍であることを特徴とする請求項８記載の記録パワー初期値決定方法。
【請求項１２】
前記第１のパワーの１〜１．０５倍を記録パワー初期値とする請求項８記載の記録パワー初期値決定方法。
【請求項１３】
クーリングパワーを求める際の信号品質の計測値をビット誤り率とすることを特徴とする請求項８記載の記録パワー初期値決定方法。
【請求項１４】
前記直線近似係数ｎは、記録パワーをかえた複数の記録トラックの変調度を測定し、前記記録パワーと、前記記録パワーのｎ乗と各記録パワーにおける変調度の積の測定点を使って最小２乗近似を行ったとき、最も直線性の高い次数ｎを近似係数とする請求項８記載の記録パワー初期値決定方法。
【請求項１５】
前記直線近似係数ｎは、０以上かつ０．５の整数倍であることを特徴とする請求項１４記載の記録パワー初期値決定方法。
【請求項１６】
前記ｎ次の近似直線における変調度０での限界パワーＰｔｈ’と、目標パワーＰｉｎｄと、前記近似係数ｎとを用いて目標パワー増倍率κが
κ＝［（２−ｎ）Ｐｉｎｄ＋（ｎ−１）Ｐｔｈ’］／［ｎＰｔｈ’−（ｎ−１）Ｐｉｎｄ］
であらわされる請求項８記載の記録パワー初期値決定方法。
【請求項１７】
前記目標パワーＰｉｎｄは、複数の記録パワーＰｔａｒｇｅｔの近傍区間で前記ｎ次の近似直線における限界パワーＰｔｈ’を演算し、前記Ｐｔｈ’のＰｔａｒｇｅｔに対する変化量が一定値以下となるＰｔａｒｇｅｔを目標パワーＰｉｎｄとする請求項１６記載の記録パワー初期値決定方法。
【請求項１８】
前記近傍区間はＰｔａｒｇｅｔの±１０％の範囲であることを特徴とする請求項１７記載の記録パワー初期値決定方法。
【請求項１９】
前記目標パワーＰｉｎｄでの変調度が３０％以上である請求項１８記載の記録パワー初期値決定方法。
【請求項２０】
前記変調度測定信号を８Ｔ単一信号で記録し、前記信号品質を計測するトラックをランダム信号で記録することを特徴とする請求項８記載の記録パワー初期値決定方法。
【請求項２１】
前記変調度測定信号および前記信号品質を計測するトラックをいずれもランダム信号で記録することを特徴とする請求項８記載の記録パワー初期値決定方法。
【請求項２２】
前記請求項８から２１のいずれかの記録パワー初期値決定方法によって求められた目標パワーＰｉｎｄ、記録パワー増倍率κ、ρをディスク内周部にあらかじめ記録した光学的情報記録媒体。
【請求項２３】
複数のパワーでレーザー光を切り替えて照射し、情報を複数の長さのマークおよびスペースとして記録する光学的情報記録媒体と、前記光学的情報記録媒体に光ビームを照射するレーザー照射手段と、前記光学的情報記録媒体にレーザーパワーを制御して複数の記録パワーで信号を記録する記録パワー制御手段と、前記光学的情報記録媒体からの再生信号の振幅から複数の記録パワーにおける変調度を検出する変調度検出手段と、前記変調度検出手段の検出値に記録パワーのｎ乗を乗じて、直線近似係数ｎを演算する近似係数演算手段と、前記光ディスクからの再生信号の信号品質を測定する信号品質計測手段と、前記近似係数演算手段の演算値と、信号品質計測手段の出力値から記録パワー係数を演算する記録パワー係数演算手段からなる光学的情報記録再生装置。
【発明の詳細な説明】
【技術分野】
【０００１】
本発明は光ディスク媒体にレーザー光を照射して未記録部とは物理的性質の異なるマークを形成することによって情報を記録する光記録方法と光ディスク記録装置および、前記光記録方法によって求められた情報を含んだ光ディスク媒体に関するものである。
【背景技術】
【０００２】
従来光記録媒体として、ＣＤ−Ｒ／ＲＷ、ＤＶＤ−Ｒ／ＲＷ／ＲＡＭ、ＢＤ−ＲＥ媒体があり、これらの媒体に情報を記録する光学的情報記録再生装置および記録パワーの学習方法は、例えばＤＶＤ  Ｓｐｅｃｉｆｉｃａｔｉｏｎ  ｆｏｒ  Ｒｅ−Ｒｅｏｃｏｒｄａｂｌｅ  Ｄｉｓｃ  Ｐａｒｔ１  Ｐｈｙｓｉｃａｌ  Ｓｐｅｃｉｆｉｃａｔｉｏｎｓ」に記載された方法、あるいは、「Ｂｌｕ−ｒａｙ  Ｄｉｓｃ  Ｒｅｗｉｒｔａｂｌｅ  Ｆｏｒｍａｔ  ｐａｒｔ１」に記載されたものが知られている。また、ディスク内の初期値記録情報を用いた記録パワーの学習方法に関しては特許文献１、特許文献２に示した方法がある。また、ライトストラテジーデータが登録されていない光ディスクに対して適正な書き込み条件を求める方法として特許文献３に示された方法がある。
【０００３】
書き換え型および追記型の光記録媒体においては、初期値記録領域のなかに、初期値情報である推奨記録パワーや書き込み時の光波形を記述したライトストラテジの情報が記録されている。光学的情報記録再生装置は、前記初期値情報を手掛かりに任意のタイミングで記録パワーの学習することができる。
【０００４】
初期値情報は、ディスク出荷前に管理された標準的な光学的情報記録再生装置を用いて、光ディスク毎に一定条件のもとで信号品質等を計測し、記録パワーやライトストラテジ等の各々のディスクに対する推奨値を決定している。ＢＤ−ＲＥでは、初期値情報として以下のものがある。目標記録パワー（Ｐｉｎｄ）、目標記録パワーでの変調度（Ｍｉｎｄ）、目標記録パワーから推奨記録パワー（Ｐｗｏ）を得るための増倍率ρ、光ディスク上にマークが書き始められる限界記録パワー（Ｐｔｈ）から目標記録パワーまでの増倍率κである。これらの初期値情報はディスク出荷前にあらかじめディスク内周部の初期値記録領域に保持されている。
【０００５】
図８は、従来の標準的な光学的情報記録再生装置の一例を示しており、標準的な光学的情報記録再生装置を用いて前記推奨記録パワー（Ｐｗｏ）を決定する方法について説明する。光ピックアップ８０２を光ディスク８０１の内周部に設けられた記録パワー学習領域１００２に移動させ、記録パターン発生回路８１１から１７ＰＰ変調された任意のランダムなデータパターンを発生させるとともに記録パワー可変回路８１２は、図１１に示すごとく記録パワーを一定パワーづつ増加させ、数段階の記録パワーで前記記録パワー学習領域１００２内に信号を記録する。
【０００６】
光ピックアップ８０２からは各記録された再生信号波形が得られ、信号品質計測回路８０５で信号品質が計測される。信号品質の指標としては、一般的にジッタやビット誤り率（ｂＥＲ）、ＰＲＭＬ等の信号処理回路を用いた際ビット誤り率と相関のあるＭＬＳＡ（特許文献３参考）などの信号品質指標を計測し、最も信号品質のよい記録パワーを推奨記録パワー（Ｐｗｏ）とする。
【０００７】
また、ジッタ測定時に同時に変調度を検出し、光ピックアップ８０２から各記録パワーＰｗに応じた再生信号が再生され、変調度検出回路８０７により各記録パワーでの変調度が検出される。変調度検出回路８０７は、最長スペースである８Ｔスペース、最長マークである８Ｔマークのそれぞれの振幅レベルＩ８Ｈ、Ｉ８Ｌから（式１）を用いて変調度ｍを算出する。
【０００８】
ｍ＝（Ｉ８Ｈ−Ｉ８Ｌ）／Ｉ８Ｈ    ・・・（式１）
変調係数演算回路８０８は前記記録パワーと変調度の関係から図１２に示すごとく各記録パワーでの変調度とパワーの積を算出する。目標変調度Ｍｉｎｄにおける目標記録パワーＰｉｎｄとし、前記目標記録パワーＰｉｎｄの近傍±１０％の測定点を用いて、接線１２０１を引き、Ｐｗ軸との切片を限界記録パワーＰｔｈとする。
【０００９】
記録パワー係数演算回路８１３は前記推奨記録パワー（Ｐｗｏ）と、目標記録パワーＰｉｎｄ、限界記録パワー（Ｐｔｈ）からパワー増倍率ρおよびκを（式２）、（式３）を用いて演算する、。
【００１０】
ρ＝Ｐｗｏ／Ｐｉｎｄ  ・・・・（式２）
κ＝Ｐｉｎｄ／Ｐｔｈ  ・・・・（式３）
こうして求められた、ρ、κ、Ｐｉｎｄ、Ｍｉｎｄ等の情報を初期値情報としてディスク上にあらかじめ記録する。
【特許文献１】特開２００３−１７３５６０号公報
【特許文献２】特開２０００−２５１２５４号公報
【特許文献３】特開２００４−２４６９５６号公報
【特許文献４】特開２００３−１４１８２３号公報
【発明の開示】
【発明が解決しようとする課題】
【００１１】
第１に従来の推奨記録パワーの決定方法では、推奨記録パワーは記録パワーを変えながら信号を記録し、再生信号品質が最も良好になる点を推奨記録パワーとしていた。しかしながら、１つの光ディスクに２つ以上の記録線速度で記録可能な光ディスクへの記録の際、あらかじめそれぞれの線速度での推奨記録パワーを記録しておく必要がある。
【００１２】
推奨記録パワーとしては、それぞれの線速度で、記録パワー特性をとり、信号品質の最も良好となる記録パワーをそれぞれの推奨記録パワーとする方法がある。この場合、第１の線速度での推奨パワーで記録されたトラック上に第２の線速度の推奨パワーでオーバーライトした場合、マークの記録形成の条件が線速度により微妙に異なるため、第１の推奨パワーが第２の線速度での記録パワーに対して実効的に高パワー条件で記録されていた場合、オーバーライト時に消し残りの影響を大きくうけてしまい信号品質を劣化させてしまう。
【００１３】
２つ以上の線速度で推奨記録パワーを決定する際に、下地に記録されているトラックのマーク形成具合（マークの広がり幅や形状）が、他の線速度で記録する際に実効的に高パワーの場合、上書き時に消し残りが生じて十分な再生信号品質が保証されない。
【００１４】
第２に従来の記録パワー係数κおよびρの決定方法では、任意の変調度（Ｍｉｎｄ）となる記録パワーを目標パワーＰｉｎｄとし、前記Ｐｉｎｄの近傍で、記録パワーを変えた有限数の測定点の変調度を測定し、変調度パワー積の曲線の接線から限界パワーをもとめ、係数κ、ρを求めていた。しかしながら、前記の方法では、測定点の数が有限であり、測定値のばらつきの影響をうけやすい。また、ドライブごとのばらつき、経時変化、埃の影響等により、記録パワーの設定値と実際の出射パワーとに誤差が生じ、標準的な光学的情報記録再生装置で当初の求めたパワーとのずれが大きくなった場合、学習時のＰｉｎｄが当初の記録パワーと大きく異なるため、変調度パワー積のＰｉｎｄ近傍での接線の傾きにずれが生じる。傾きのずれにより求まる限界パワーの誤差が生じ、正しい記録パワーを学習でないという課題があった。
【００１５】
本発明は、２つ以上の線速度で記録する際に良好な信号品質が得られる推奨記録パワーの決定方法および、精度よく記録パワーを学習することがでる初期値記録条件を決定することを目的とする。
【課題を解決するための手段】
【００１６】
そこで前記の問題を解決する目的で、本発明の光学的情報記録媒体は、第１から第ｎ（ｎは２以上の整数）の異なる線速度で記録する光学的情報記録媒体であって、第１の線速度で記録パワーを変えながらＰｗ１の記録パワーで下地トラックを記録し、前記記録パワーのことなる複数の下地トラックのそれぞれに記録パワーＰｗ１のα倍の記録パワーで上書きし、前記複数の上書きされたトラックの信号品質を計測し、前記信号品質の検出値がＸとなるトラックの下地記録パワーをＰｗｏ１とし、第ｎの線速度で記録パワーを変えながらＰｗｎの記録パワーで下地トラックを記録し、前記記録パワーのことなる複数の下地トラックのそれぞれに記録パワーＰｗｎのα倍の記録パワーで上書きし、前記複数の上書きされたトラックの信号品質を計測し、前記信号品質の検出値がＸとなるトラックの下地記録パワーをＰｗｏｎとし、前記第１と第ｎの線速度での記録パワーの比をβ＝Ｐｗｏｎ／Ｐｗｏ１とし、第１および第ｎの線速度での推奨記録パワーの比が前記βにもとずく比を満足する推奨記録パワーＰｗｏ１とＰｗｏｎの情報があらかじめ記録されていることを特徴とする。
【００１７】
また、本発明の光学的情報記録媒体は、少なくとも最も遅い第１の線速度と、最も速い第ｎの線速度での推奨記録パワーがあらかじめ記録されていることを特徴とする。
【００１８】
また、本発明の光学的情報記録媒体は、前記αは０．１以上１.０以下であることを特徴とする。
【００１９】
また、本発明の光学的情報記録媒体は、前記αは０．８〜０．９の範囲であることを特徴とする。
【００２０】
また、本発明の光学的情報記録媒体は、前記推奨パワー比が０.９０×β〜１．１×βの範囲であることを特徴とする。
【００２１】
また、本発明の光学的情報記録媒体は、前記計測される信号品質は、ジッタ、ＭＬＳＡ、ビット誤り率のいずれかであることを特徴とする。
【００２２】
また、本発明の光学的情報記録媒体は、前記検出値Ｘが、ジッタ１１％から１３％、あるいはＭＬＳＥ１１％〜１３％、あるいはビット誤り率が１×１０Ｅ−４〜１×１０Ｅ−３の範囲にあることを特徴とする。
【００２３】
また、本発明の記録パワー初期値決定方法は、光学的情報記録媒体に複数のパワーでレーザー光を切り替えて照射し、情報を複数の長さのマークおよびスペースとして記録する光学的情報記録媒体に、最適な記録パワーで書き込みを実現するためのディスク初期値を決定する記録パワーの初期値決定方法において、前記光学的情報記録媒体に光ビームを照射し、前記光学的記録媒体内にレーザーパワーを制御して複数の記録パワーで信号記録し、前記光学的情報記録媒体からの再生信号の振幅から複数の記録パワーにおける変調度を検出し、前記変調度の検出値から、記録パワーのｎ乗を乗じて、直線近似係数ｎを演算し、前記光ディスクからの再生信号の信号品質を測定し、前記近似係数演算の演算値と、信号品質計測の出力値から、記録パワー係数を演算することにより、光学的情報記録媒体に記録する記録パワーの初期値を決定することを特徴とする。
【００２４】
また、本発明の記録パワー初期値決定方法は、前記光学的情報記録媒体に、第１のパワーで記録トラックを作成し、前記記録トラックを第２のパワーで１回上書きしたときの信号品質をもとに、前記第１のパワーの定数倍を記録パワーの初期値として決定することを特徴とする。
【００２５】
また、本発明の記録パワー初期値決定方法は、前記第１のパワーは前記第２のパワーに比べて大きいことを特徴とする。
【００２６】
また、本発明の記録パワー初期値決定方法は、前記第２のパワーは前記第１のパワーの０．８倍〜０．９倍であることを特徴とする。
【００２７】
また、本発明の記録パワー初期値決定方法は、前記第１のパワーの１〜１．０５倍を記録パワー初期値とすることを特徴とする。
【００２８】
また、本発明の記録パワー初期値決定方法は、クーリングパワーを求める際の信号品質の計測値をビット誤り率とすることを特徴とする。
【００２９】
また、本発明の記録パワー初期値決定方法は、前記直線近似係数ｎは、記録パワーをかえた複数の記録トラックの変調度を測定し、前記記録パワーと、前記記録パワーのｎ乗と各記録パワーにおける変調度の積の測定点を使って最小２乗近似を行ったとき、最も直線性の高い次数ｎを近似係数とすることを特徴とする。
【００３０】
また、本発明の記録パワー初期値決定方法は、前記直線近似係数ｎは、０以上かつ０．５の整数倍であることを特徴とする。
【００３１】
また、本発明の記録パワー初期値決定方法は、前記ｎ次の近似直線における変調度０での限界パワーＰｔｈ’と、目標パワーＰｉｎｄと、前記近似係数ｎとを用いて目標パワー増倍率κが
κ＝［（２−ｎ）Ｐｉｎｄ＋（ｎ−１）Ｐｔｈ’］／［ｎＰｔｈ’−（ｎ−１）Ｐｉｎｄ］
であらわされることを特徴とする。
【００３２】
また、本発明の記録パワー初期値決定方法は、前記目標パワーＰｉｎｄは、複数の記録パワーＰｔａｒｇｅｔの近傍区間で前記ｎ次の近似直線における限界パワーＰｔｈ’を演算し、前記Ｐｔｈ’のＰｔａｒｇｅｔに対する変化量が一定値以下となるＰｔａｒｇｅｔを目標パワーＰｉｎｄとすることを特徴とする。
【００３３】
また、本発明の記録パワー初期値決定方法は、前記近傍区間はＰｔａｒｇｅｔの±１０％の範囲であることを特徴とする。
【００３４】
また、本発明の記録パワー初期値決定方法は、前記目標パワーＰｉｎｄでの変調度が３０％以上であることを特徴とする。
【００３５】
また、本発明の記録パワー初期値決定方法は、前記変調度測定信号を８Ｔ単一信号で記録し、前記信号品質を計測するトラックをランダム信号で記録することを特徴とする。
【００３６】
また、本発明の記録パワー初期値決定方法は、前記変調度測定信号および前記信号品質を計測するトラックをいずれもランダム信号で記録することを特徴とする。
【００３７】
また、本発明の光学的情報記録媒体は、前述記録パワー初期値決定方法によって求められた目標パワーＰｉｎｄ、記録パワー増倍率κ、ρをディスク内周部にあらかじめ記録されたことを特徴とする。
【００３８】
また、本発明の光学的情報記録再生装置は、複数のパワーでレーザー光を切り替えて照射し、情報を複数の長さのマークおよびスペースとして記録する光学的情報記録媒体と、前記光学的情報記録媒体に光ビームを照射するレーザー照射手段と、前記光学的情報記録媒体にレーザーパワーを制御して複数の記録パワーで信号を記録する記録パワー制御手段と、前記光学的情報記録媒体からの再生信号の振幅から複数の記録パワーにおける変調度を検出する変調度検出手段と、前記変調度検出手段の検出値に記録パワーのｎ乗を乗じて、直線近似係数ｎを演算する近似係数演算手段と、前記光ディスクからの再生信号の信号品質を測定する信号品質計測手段と、前記近似係数演算手段の演算値と、信号品質計測手段の出力値から記録パワー係数を演算する記録パワー係数演算手段を備えたことを特徴とする。
【発明の効果】
【００３９】
以上説明したように、本発明によれば、記録パワーを変えながら各記録パワーで下地トラックを記録し、前記記録パワーの異なる複数の下地トラックのそれぞれに記録パワーの一定倍のパワーで上書きし、前記複数の上書きされたトラックの信号品質に基づいて推奨記録パワーを決定し、記録パワーに対する変調度特性にパワーのｎ乗を乗じた近似直線から記録パワーに関する各種パラメータを決定し、前記記録パワーの推奨値と記録パラメータをあらかじめ光ディスク上に記録しておくことで、ユーザーが光学的情報記録再生装置を用いて光ディスクに記録再生を行う際に、埃やゴミ汚れなどによる記録パワーの変動を抑えて、高精度のマーク形成が可能となる。以上により記録／再生動作の高信頼化が図られ、同時に情報記録装置および記録媒体の小型化が実現されるので、コストの点で有利となる。
【発明を実施するための最良の形態】
【００４０】
以下、本発明の実施の形態を説明する。本実施の形態では記録媒体として相変化光ディスクを例にとって説明するが、これは記録媒体を特に限定するものではなく、記録媒体にエネルギーを注入して未記録部とは物理的性質の異なるマークを形成することによって情報を記録する記録媒体に共通の技術である。本発明の実施の形態では、ＢＤ−ＲＥ（書換型ブルーレイディスク）を例にとって説明する。主な光学条件は、波長４０５ｎｓ、ＮＡ＝０．８５の対物レンズを用いおり、ディスク構造はトラックピッチ０．３２μｍ、基材厚み７５μｍ〜１００μｍの相変化型光ディスク、記録されるマークの最短マーク長が０．１３８μｍから０．１６０μｍである。
【００４１】
図１は本発明による標準的な光学的情報記録再生装置の全体構成の一例を説明する図である。標準的な光学的情報記録再生装置とは、一定環境条件のもと、温度変化に対する機器の依存性が少なく、記録パワー、ライトストラテジの波形等の物理条件が管理された信頼性のある評価装置などが相当する。
【００４２】
図１において１０１は光学的記録媒体である光ディスクで、図１０に示すようにデータ領域１００１と、データ領域の内周側に記録パワーを学習するための記録パワー学習領域１００２、記録パワー学習領域の内周側に初期値記録領域１００３にわかれている。データ領域は、実際に光ディスクにユーザーデータを記録する領域であり、記録学習領域とは、ユーザー領域にデータを記録する前に、起動時や温度変動が生じた際に、記録パワーの変動分を調整するために、試し記録を行う領域である。初期値記録領域は、ディスク毎にあらかじめ、記録パワーの推奨値やライトストラテジの推奨値、記録線速度、ディスクＩＤなどが記録されており、前記情報はトラックの蛇行の向きなどを情報の記録単位としてディスク基板に成形されたかたちで記録されている再生専用領域である。
【００４３】
１０２は光照射手段で前記光ディスク１０１に光ビームを照射するレーザーダイオード（ＬＤ）を搭載している光ピックアップ、１０３はレーザー出力の制御と駆動を行うレーザー駆動手段である。１０７は再生信号の振幅から変調度を検出する変調度検出手段、１０５は再生信号のジッタ、ビット誤り率（ｂＥＲ）、ＭＬＳＡなどの信号品質を計測する信号品質計測手段、１０８は前記変調度検出手段で検出された変調度に記録パワーのｎ乗をかけて、最も直線近似に近い次数ｎを計算しそのときの限界パワーＰｔｈ’を演算する近似係数演算手段、１１３は前記信号品質計測手段から推奨記録パワーＰｗｏを演算し、前記近似係数演算手段の次数ｎと限界パワーＰｔｈ’から目標パワー増倍率κ、推奨パワー増倍率ρ、目標パワーＰｉｎｄを演算する記録パワー係数演算手段である。１１２は記録パワーを設定する記録パワー制御手段、１１１は記録するパターンを発生する記録パターン発生手段である。
【００４４】
以上のように構成された本発明の標準的な光学的情報記録再生装置を用いた記録パワーパラメータの初期値決定方法について図面を用いて説明する。
【００４５】
図２は本発明の推奨パワーと推奨記録パワー係数を決定する方法の一実施の形態を示すものである。
【００４６】
標準的な光学的情報記録再生装置で複数の線速度で記録可能な光ディスクに対する推奨記録パワー（Ｐｗｏ）の初期値を決める場合について説明する。図２にフローチャート、図３にクロスパワーオーバーライト特性を示す。第１の線速度で光ディスク媒体を回転させ、記録パワー制御手段は、記録パワーをＰｗ＝Ｐｗ１に設定する。記録パターン発生手段は、任意のランダム信号を発生させ、レーザー駆動手段は、前記設定された記録パワーでレーザーを駆動させ、光照射手段を用いて光ディスク上の複数のトラックに信号を記録する。前記記録されたトラックに、記録パワーをかえながら１回上書き記録する。前記上書き記録パワーの異なる複数のトラックからの再生信号を信号品質計測手段によって、再生信号品質を計測する。計測値としては、ジッタあるいはビットエラー率、あるいはＭＬＳＡ（特許文献４参照）のうちのいずれかである。下地記録パワーのα倍（α＜１００％）のパワーをＰｗｔｈ１とした時に、Ｐｗｔｈ１での計測された信号品質が規定値Ｘに対して、良好でない場合は、初期設定パワー（下地記録パワー）をＰｗ１＋Ｐｄとして、Ｐｄだけ記録パワーを増加させ再度下地トラックを複数トラック作成し、前記（Ｐｗ１＋Ｐｄ）のα倍のパワーで１回上書き記録し、信号品質計測手段で再生信号の信号品質を計測する。以上の動作を複数回繰り返し、下地パワーをかえながら計測された信号品質が、規定値Ｘ近傍になるまで繰り返す。再生信号品質が規定値Ｘ近傍になったときの記録パワーＰｗ１を第１の線速度の推奨記録パワーＰｗｏ１と決定する。
【００４７】
同様の手順を第２の線速度でも実施する。
【００４８】
記録パワーをＰｗ＝Ｐｗ２に設定する。記録パターン発生手段は、任意のランダム信号も発生させ、レーザー駆動手段は、前記設定された記録パワーでレーザーを駆動させ、光照射手段を用いて光ディスク上の複数のトラックに信号を記録する。前記記録されたトラックに、記録パワーをかえながら１回上書き記録する。前記オーバーライトされた記録パワーの異なる複数のトラックからの再生信号を信号品質計測手段によって、再生信号品質を計測する。計測値としては、ジッタあるいはビットエラー率、あるいはＭＬＳＡ（特許文献４参照）のうちのいずれかである。下地記録パワーのα倍（α＜１００％）のパワーをＰｗｔｈ２とした時に、Ｐｗｔｈ２での計測された信号品質が規定値Ｘに対して、良好でない場合は、初期設定パワー（下地記録パワー）をＰｗ２＋Ｐｄとして、Ｐｄだけ記録パワーを増加させ再度下地トラックを複数トラック作成し、前記（Ｐｗ２＋Ｐｄ）のα倍のパワーで１回上書き記録し、信号品質計測手段で再生信号の信号品質を計測する。以上の動作を複数回繰り返し、下地パワーをかえながら計測された信号品質が、規定値Ｘ近傍になるまで繰り返す。再生信号品質が規定値Ｘ近傍になったときの記録パワーＰｗ２を第１の線速度の推奨記録パワーＰｗｏ２と決定する。
【００４９】
図１３にそれぞれの推奨パワーで規格化された第１の線速度と第２の線速度でのクロスパワーオーバーライト特性を示す。この場合、どちらの線速度でも、推奨パワーに対してα倍の記録パワーで上書きした場合、信号品質指標ＭＬＳＡは１２％で一定である。推奨パワーの比率をβ＝Ｐｗｏ２／Ｐｗｏ１とする。一般に相変化記録材料では、マークを形成する際に、レーザーパワーの照射による温度上昇によって結晶が溶融し、急冷却することによってアモルファスのマークの形成がなされるが、線速を速くすることにより、単位時間あたりに投入される熱量を増加させなければ、結晶の溶融は起こらない。そこで、線速度を上げて記録する場合には、記録パワーを増加させなければならず、第１の線速度と第２の線速度で、記録マークの大きさや物理形状はことなる。しかし、前述の推奨パワーの決定方法によれば、規格化されたクロスパワー特性が同一特性を示しているため実効的に比率βのパワー換算でそれぞれの推奨パワーの関係を保っていれば、下地に記録されているマークの特性を等しくすることができる。つまり、第１の線速度での推奨パワーＰｗｏ１で下地トラックを作成している状態に、第２の線速度で上書きするような場合でも第２の推奨パワーのα倍のパワーで上書きしても信号品質ＭＬＳＡ＝１２％程度は補償されることを意味しており、異なる線速度でのクロス線速とクロスパワーオーバーライト特性を両立させることが可能である。
【００５０】
具体的な数値として、ここではα＝８５％、信号品質としてはＭＬＳＡ、規定値Ｘ＝１２％の値を使って決定する。
【００５１】
特にαは、クロスパワー係数であり、この場合推奨パワーの８５％のパワーで上書きされるような場合でもＭＬＳＡ値＝１２％が補償されることを意味する。クロスパワー係数αは、ディスク媒体や記録再生装置の組み合わせで決まる各種マージンを満足するように決められる。同一検出値Ｘでクロスパワー係数が１より小さくなりすぎると推奨パワーとしては、高めに設定されることとなり、この場合、同一トラックに繰り返し上書き記録をする際、高パワーで記録するため、記録膜への熱によるダメージが蓄積され信号品質の劣化が顕著になる。クロスパワー係数が１に近い場合、パワー低下に伴う信号品質の劣化が顕著になる。パワー係数は以上の観点から２０％程度のパワーマージンを満足する範囲が実用上望ましい。そこでα＝８０％〜９０％程度が実用上好ましい係数である。
【００５２】
また、検出基準値Ｘに関しては、ＭＬＳＡ＝１２％としたが、ＢＤでの誤り訂正能力の限界がＭＬＳＡ＝１５％〜１６％程度である観点から、誤り訂正能力に対して一定のマージンを見積もった１１％〜１３程度のＭＬＳＡ基準値にしておくことが、再生信号の品質を保つ上で実用上望ましい。また、同様の観点で、信号品質の指標としてジッタを用いる場合、ジッタ値は１５％程度が誤り訂正能力の限界であることから、ジッタ値１１％〜１３％程度のジッタ基準値にしておくことが、再生信号の品質を保つ上で実用上望ましい。
【００５３】
以上の例において、信号品質の指標としてＭＬＳＡを用いたが、ジッタあるいはビット誤り率をもちいてもよい。また、初期の記録パワーＰｗ１は、低いパワーから徐々にパワーをあげているが、推奨パワーよりも高いパワーから記録を開始した場合は、パワーを徐々に下げて、規定値Ｘを下回る最初のパワーを推奨パワーとしてもよい。また、推奨パワーとして、上記信号品質がＸになった時の１倍の記録パワーを推奨記録パワーとしたが、あらかじめ記録学習の誤差や、ゴミや埃等によるレンズの汚れに対する記録パワーの劣化分のマージンを考慮して前記推奨パワーＰｗｏ１、Ｐｗｏ２の０．９５倍〜１．０５倍程度のパワーを推奨記録パワーとしてもよい。
【００５４】
以上のように高パワーで下地トラックを記録し、その上に一定倍率のパワーで上書きオーバーライトした時の信号品質が等しいパワーを各線速度の推奨パワーにすることで、第１の線速度で記録した下地トラックに第２の線速度でオーバーライト、あるいは、第２の線速度で記録した下地トラックに第１の線速度でオーバーライトしたときのに生じるクロス線速オーバーライト時の信号品質を良好に保つことが可能である。
【００５５】
次にピークパワーに対する冷却パワーの比率を決定する方法について説明する。
【００５６】
一般に、冷却パワーは、信号の振幅のＳＮ、消去特性、再生信号波形の歪などを考慮されて決定される。図７に相変化記録媒体に記録されたマーク形状の模式図を示す。図７では、光ビームが左から右に走査されたときの例である。７０１が形成されたマーク、７０２がマークとマークの間に挟まれたスペースを表している。７０１のマーク形状の終端部分が、尾を引きながらイチョウ型に形成されているのがわかる。終端部分のマークの形成の仕方は、冷却パルスのパワーに依存することが多く、冷却パワーを下げることにより、急冷条件となりアモルファス化するマーク部分が大きくなるが、冷却パルス後の消去パワーによって後方からマークが消去され結晶化される。このとき、冷却パルスのパワーが特に低い場合、マーク後端部分の尾の引き方が顕著となり、局所的にディスク内のわずかな冷却条件違いにより、ビット誤り率が敏感に変化することが起こる。ノイズなどＳＮに起因するランダム的に起こる事象であればそこで、冷却パルスのパワーレベルを決定する際に、冷却パルスのパワーレベルを変えながら、ＭＬＳＡやジッタを計測することができるが、このようなイチョウ型に形成されたマークでは、局所的なビット誤りの影響を顕著に受けるため、ビット誤り率を測定して冷却パワーを決定することで信号品質を改善することが可能である。
【００５７】
次に、記録パワーパラメータのうち増倍率κ、ρ、目標パワーＰｉｎｄの決定方法について説明する。図４にフローチャートを示す。光照射手段１０２を光ディスク１０１の内周部に設けられた記録パワー学習領域１００２に移動させ、記録パターン発生回路１１１から任意のランダム信号を発生させるとともに記録パワー制御手段１１２は、記録パワーを一定間隔で増加させながらｋ通りのパワーで記録信号をそれぞれ学習領域１００２内の別々のトラックに記録する。
【００５８】
各記録パワーＰｗ（ｉ）に応じた再生波形が再生され、変調度検出手段１０７により各記録パワーでの変調度が検出される。変調度検出手段１０７は、最長スペースである８Ｔスペース、最長マークである８Ｔマークのそれぞれの振幅レベルＩ８Ｈ、Ｉ８Ｌから（式４）を用いて変調度ｍを算出する。
【００５９】
ｍ＝（Ｉ８Ｈ−Ｉ８Ｌ）／Ｉ８Ｈ    ・・・（式４）
近似係数演算手段１０８は、図５に示すとように、前記記録パワーと変調度の値から記録パワーのｎ乗とそのときの変調度の積を計算し、各記録パワーに対する前記演算結果の最小２乗近似を各次数ｎについて行い。最も直線近似に近い次数ｎを決定し、近似直線５０１とする。この際、次数ｎは、任意の実数でなく、例えば０．５の整数倍を単位とすることで演算が簡略化される。
【００６０】
近似された場合の変調度曲線は以下のような（式５）で表される。
【００６１】
ｍ＝ｍ０×（Ｐｗ−Ｐｔｈ’）／Ｐｗ＾ｎ    ・・・（式５）
記録パワー係数演算手段１１３は前記次数ｎの値を使って、目標記録パワーＰｉｎｄの近傍±１０％の測定点を用いて、接線５０１を引き、Ｐｗ軸との切片を限界記録パワーをＰｉｎｄ（ｉ）（ｉ＝１，２，３・・・）に対する限界パワーＰｔｈ’（ｉ）とする。前記Ｐｉｎｄ（ｉ）に対するＰｔｈ’の関係を表したのが図６である。
【００６２】
図６で、ＣＡＳＥ１のような場合、測定点全区間において非常に直線性が良い場合、どのＰｉｎｄを中心にしてＰｉｎｄ±１０％の区間でＰｔｈ’を演算してもほぼ同じＰｔｈ’値になるが、ＣＡＳＥ２のように直線性がパワー区間によって変動する場合、Ｐｔｈ’の値がＰｉｎｄの値によって前後する。ｎ＜１よりも小さい場合にはこのようなことが生じやすい。複数のＰｉｎｄに対してＰｉｎｄ±１０％の範囲でＰｔｈ’を計算し、Ｐｔｈ’の変化量の少ないＡ点をＰｉｎｄとして選択する。
【００６３】
但し、低い変調度の点を用いると誤差が大きく生じるため、Ｐｉｎｄの選択の際には、両条件とも変調度３０％以上のＰｉｎｄを用いるのがよい。
【００６４】
またここでは、変調度の測定の際に記録する信号は１７ＰＰのランダム信号であるとしたが、８Ｔ単一信号のような１７ＰＰ変調での最長符号の単一信号の繰り返し信号を記録することも可能である。この場合、記録信号が単一信号であるので、符号間干渉の影響を抑えて、良好な信号品質のもとで変調度の測定が可能となり、記録パワーの初期値を決めるのに記録パワーの決定精度の向上に効果がある。
【００６５】
次にκの計算方法について説明する。
【００６６】
κは図１２に示されるとおり、変調度に記録パワーをかけた曲線の目標記録パワーＰｉｎｄでの接線１２０１が記録パワー軸と交わる切片の限界パワーＰｔｈを使って以下の（式６）であらわされる。
【００６７】
κ＝Ｐｉｎｄ／Ｐｔｈ  ・・・・・（式６）
したがって今、変調度曲線が（式５）のように次数ｎの近似曲線で表せるとすると図１２の変調度パワー積は（式７）となる。
【００６８】
ｍ×Ｐｗ＝ｍ０×（Ｐｗ−Ｐｔｈ’）／Ｐｗ＾（ｎ−１）    ・・・（式７）となる。
【００６９】
（式７）の記録パワーがＰｉｎｄでの１回微分である直線の傾きと、（式７）が（Ｐｉｎｄ、ｍ０×（Ｐｉｎｄ−Ｐｔｈ’）／Ｐｉｎｄ＾（ｎ−１））を通るため、これらの連立方程式を解くと（式８）となる。
【００７０】
κ＝［（２−ｎ）Ｐｉｎｄ＋（ｎ−１）Ｐｔｈ’］／［ｎＰｔｈ’−（ｎ−１）Ｐｉｎｄ］      ・・・・・（式８）
したがって前述した次数ｎと、目標記録パワーＰｉｎｄを使ってκが演算される。
【００７１】
次にρの計算方法について説明する。図１２において増倍率ρは以下の（式９）であらわされる。
【００７２】
ρ＝Ｐｗｏ／Ｐｉｎｄ・・・・（式９）
前述したＰｗｏとＰｉｎｄを使って（式９）を演算することによって、増倍率ρが演算される。
【００７３】
以上のようにして、変調度に記録パワーのｎ乗をかけた近似曲線から、もっともＰｉｎｄの変化に対するＰｔｈ’の変化量のすくない目標パワーＰｉｎｄを決定することにより、学習誤差の少ない精度の良い記録パワーで光ディスクに記録することができ、光ディスクの読み出し信頼性を向上させることが可能である。
【００７４】
また、上述の目標パワーと増倍率の決定方法を第２の線速度でも同様の手順で実施し、第２の線速度の目標パワーＰｉｎｄ、増倍率κ、ρを決定する。
【００７５】
以上のように決定した各々の線速度における推奨パワーと推奨記録パワー係数を光ディスク内周部の初期値記録領域に記録し、ディスクを出荷する。
【００７６】
次に、前記の標準的な光学的情報記録再生装置を用いて推奨パワー等の初期値情報が記録された光ディスクを用いて記録パワーを学習する方法について説明する。
【００７７】
図９は光学的情報記録再生装置の一例であるＢＤ−ＲＥの記録再生装置を示しており、光学的情報記録媒体（ＢＤ−ＲＥ媒体）である光ディスク９０１、前記光ディスク９０１に光ビームを照射するレーザーダイオード（ＬＤ）を搭載している光ピックアップ９０２、前記光ピックアップ９０２内のＬＤを駆動するレーザー駆動回路９０３、前記レーザー駆動回路９０３に対し所望のレーザー出力を指令するレーザー出力制御回路９０４、前記光ディスク９０１上に記録されている初期値情報を読み出す初期値情報読み込み回路９０６、読み出された初期値情報をもとに記録パワーを可変する記録パワー可変回路９１２、再生信号の変調度を検出する変調度検出回路９０７、前記変調度検出回路９０７から検出された変調度に記録パワーのｎ乗をかけて、最も直線近似に近い次数ｎを計算しそのときの限界パワーＰｔｈ’を演算する近似係数演算回路９０８、前記初期情報読み込み回路からディスク内に記載されている目標パワー増倍率κ、推奨パワー増倍率ρ、目標パワーＰｉｎｄと、前記近似係数演算回路の次数ｎと、限界パワーＰｔｈ’から推奨記録パワーＰｗｏを演算する記録パワー演算回路９１３、記録するパターンを発生する記録パターン発生回路９１１、から構成されている。
【００７８】
光ディスク９０１上には図１０に示すごとくユーザーが任意の情報を記録するデータ領域１００１以外に光ディスク９０１の内周部に情報を記録する場合、必要に応じて記録パワーを学習する記録パワー学習領域１００２が設けられている。またさらに内周部にディスク出荷時にあらかじめ記録された初期値情報を有する初期記録領域１００３がある。
【００７９】
光ピックアップがディスク内周部へシークし初期値記録情報を読み出す。記録学習領域にシークさせ、記録パワーをＰｉｎｄの近傍でのパワーでかえながら記録し、各記録パワーＰｗに応じた再生波形が再生され、変調度検出手段９０７により各記録パワーでの変調度が検出される。変調度検出回路９０７は、最長スペースである８Ｔスペース、最長マークである８Ｔマークのそれぞれの振幅レベルＩ８Ｈ、Ｉ８Ｌから前記（式４）を用いて変調度ｍを算出する。
【００８０】
近似係数演算回路９０８は、図５に示すとように、前記記録パワーと変調度の値から記録パワーのｎ乗とそのときの変調度の積を計算し、各記録パワーに対する前記演算結果の最小２乗近似を各次数ｎについて行い。最も直線近似に近い次数ｎを決定し、近似直線５０１とする。この際、次数ｎは、任意の実数でなく、例えば０．５の整数倍を単位とすることで演算が簡略化される。
【００８１】
近似された場合の変調度曲線は以下のような前記（式５）で表される。
【００８２】
記録パワー演算回路９１３は前記次数ｎの値を使って、接線５０１を引き、Ｐｗ軸との切片を限界記録パワーを限界パワーＰｔｈ’とする。
【００８３】
記録パワー演算回路は前記Ｐｔｈ’と初期値記録情報κ、ρを使って、下記（式１０）、（式１１）の演算を行う。
【００８４】
Ｐｔｈ＝Ｐｔｈ’×（（１−ｎ）＋ｎκ）／（（２−ｎ）κ＋（ｎ−１）κ＾２）
・・・・（式１０）
Ｐｉｎｄ２＝−（（ｎ−）−ｎκ）／（（ｎ−１）κ＋（２−ｎ））
・・・・（式１１）
ここで、（式１１）で求めたＰｉｎｄ２がディスクから読み出した初期値Ｐｉｎｄと５％以上異なっていれば、再度ＰｉｎｄをＰｉｎｄ２として、Ｐｉｎｄ２の近傍で再度変調度特性を取得し、初期値記録情報を使って、（式１０）、（式１１）の演算を繰り返す。
【００８５】
次に下記（式１２）の演算を行って得られた最適パワーＰｗｏを学習後の最適パワーと決定する。
【００８６】
Ｐｗｏ＝κ×ρ×Ｐｔｈ  ・・・・（式１２）
【産業上の利用可能性】
【００８７】
本発明の光ディスク媒体への光記録再生方法および光記録再生装置は、光記録媒体への高密度記録という効果を有し、デジタル家電機器、情報処理装置を含む電機機器産業等に利用可能である。
【図面の簡単な説明】
【００８８】
【図１】本発明による光学的情報記録再生装置の全体構成を説明する図
【図２】本発明の実施の形態による記録パワーの初期値決定方法の説明図
【図３】本発明の実施の形態によるクロスパワーオーバーライト特性の説明図
【図４】本発明の実施の形態による記録パワーの初期値決定方法の説明図
【図５】本発明の実施の形態による直線近似された記録パワーのｎ乗と変調度との積の特性の説明図
【図６】本発明の実施の形態による目標パワーと限界パワーの関係を表す説明図
【図７】本発明の実施の形態によるマーク形状を説明する図
【図８】従来の標準的な光学的情報記録再生装置の全体構成を説明する図
【図９】本発明の光学的情報記録再生装置の全体構成を説明する図
【図１０】光学的情報記録媒体の構成を構成を説明する図
【図１１】記録パワーに対する変調度とジッタの関係を説明する図
【図１２】各記録パワーでの変調度とパワーの積の関係を説明する図
【図１３】本発明の実施の形態による推奨パワーで規格化されたクロスパワーオーバーライト特性の説明図
【符号の説明】
【００８９】
１０１    光ディスク
１０２    光照射手段
１０３    レーザー駆動手段
１０５    信号品質計測手段
１０７    変調度検出手段
１０８    近似係数演算手段
１１２    記録パワー制御手段
１１３    記録パワー係数演算手段
１００２    記録パワー学習領域
１００３    初期値記録領域
【図１】
2006172667.tif 000003
【図２】
2006172667.tif 000004
【図３】
2006172667.tif 000005
【図４】
2006172667.tif 000006
【図５】
2006172667.tif 000007
【図６】
2006172667.tif 000008
【図７】
2006172667.tif 000009
【図８】
2006172667.tif 000010
【図９】
2006172667.tif 000011
【図１０】
2006172667.tif 000012
【図１１】
2006172667.tif 000013
【図１２】
2006172667.tif 000014
【図１３】
2006172667.tif 000015